(57)【要約】【課題】２電源のＩＣ等に適用した場合に、電源投入時において内部回路の不定状態に起因する入出力部の電源間の貫通電流を防止でき、ＩＣの動作の安定化に寄与すること。【解決手段】この発明は、入力電圧ＶＩＮに基づき、第１出力電圧ＶＯＵＴ１を先に生成出力し、この出力の安定後に第１出力電圧ＶＯＵＴ１よりも高電圧の第２出力電圧ＶＯＵＴ２を出力する。シリーズレギュレータ１は、入力電圧ＶＩＮに基づいて第１出力電圧ＶＯＵＴ１を生成して出力する。電源スイッチ２は、出力電圧検出回路３からの出力電圧検出信号Ｓ１によってオンし、このときに入力電圧ＶＩＮを第２出力電圧ＶＯＵＴ２として出力する。出力電圧検出回路３は、シリーズレギュレータ１が出力する第１出力電圧ＶＯＵＴ１を検出し、この検出電圧が所定値になったときに出力電圧検出信号Ｓ１を生成し、これにより電源スイッチ２をオンさせる。【選択図】図１
2010134845.tif 000002
【特許請求の範囲】
【請求項１】
入力電圧に基づいて、第１出力電圧と、前記第１出力電圧よりも高電圧の第２出力電圧とをそれぞれ出力する電源装置であって、
前記入力電圧に基づいて前記第１出力電圧を生成して出力するレギュレータと、
出力電圧検出信号を受け取ったときに、前記入力電圧を前記第２出力電圧として出力するスイッチと、
前記レギュレータが出力する前記第１出力電圧を検出し、前記第１出力電圧が所定の検出電圧値になったときに検出信号を生成し、当該検出信号を前記出力電圧検出信号として前記スイッチに出力する出力電圧検出回路と、
を備えることを特徴とする電源装置。
【請求項２】
入力電圧に基づいて、第１出力電圧と、前記第１出力電圧よりも高電圧の第２出力電圧とをそれぞれ出力する電源装置であって、
前記入力電圧に基づいて前記第１出力電圧を生成して出力する第１レギュレータと、
出力電圧検出信号を受け取ったときに、前記入力電圧に基づいて前記第２出力電圧を生成して出力する第２レギュレータと、
前記第１レギュレータが出力する前記第１出力電圧を検出し、前記第１出力電圧が所定の検出電圧値になったときに検出信号を生成し、当該検出信号を前記出力電圧検出信号として前記第２レギュレータに出力する出力電圧検出回路と、
を備えることを特徴とする電源装置。
【請求項３】
入力電圧に基づいて、第１出力電圧と、前記第１出力電圧よりも高電圧の第２出力電圧とをそれぞれ出力する電源装置であって、
前記入力電圧に基づいて前記第１出力電圧を生成して出力するレギュレータと、
前記入力電圧を所望の出力電圧に変換して出力するＤＣ−ＤＣコンバータと、
出力電圧検出信号を受け取ったときに、前記ＤＣ−ＤＣコンバータの出力電圧を前記第２出力電圧として出力するスイッチと、
前記レギュレータが出力する前記第１出力電圧を検出し、前記第１出力電圧が所定の検出電圧値になったときに検出信号を生成し、当該検出信号を前記出力電圧検出信号として前記スイッチに出力する出力電圧検出回路と、
を備えることを特徴とする電源装置。
【請求項４】
入力電圧に基づいて、第１出力電圧と、前記第１出力電圧よりも高電圧の第２出力電圧とをそれぞれ出力する電源装置であって、
前記入力電圧に基づいて前記第１出力電圧を生成して出力する第１レギュレータと、
前記入力電圧を所望の出力電圧に変換して出力するＤＣ−ＤＣコンバータと、
出力電圧検出信号を受け取ったときに、前記ＤＣ−ＤＣコンバータの出力電圧に基づいて前記第２出力電圧を生成して出力する第２レギュレータと、
前記第１レギュレータが出力する前記第１出力電圧を検出し、前記第１出力電圧が所定の検出電圧値になったときに検出信号を生成し、当該検出信号を前記出力電圧検出信号として前記第２レギュレータに出力する出力電圧検出回路と、
を備えることを特徴とする電源装置。
【発明の詳細な説明】
【技術分野】
【０００１】
本発明は、入力電圧に基づいて複数の出力電圧を生成して出力する多出力の電源装置に関する。
【背景技術】
【０００２】
従来、この種の電源装置の第１の従来例として、例えば特許文献１に記載のものが知られている。
この第１の従来例は、所定電圧を生成するＤＣ−ＤＣコンバータと、２つのリニアレギュレータと、リニアレギュレータの各々に基準電圧を付与する抵抗素子と、を備えている。このような構成の第１の従来例では、ＤＣ−ＤＣコンバータが所定電圧を生成し、その所定電圧を用いてリニアレギュレータが異なる電圧値を出力する。
また、電源装置の第２の従来例として、図６に示すものが知られている。
この第２の従来例は、例えば異なる２種類の電源電圧の供給を必要とするＩＣ（半導体集積回路）２００に適用され、入力電圧ＶＩＮを入力としたシリーズレギュレータ１００で生成される第１出力電圧ＶＯＵＴ１と、入力電圧ＶＩＮに基づいて、この第１出力電圧ＶＯＵＴ１よりも高電圧の第２出力電圧ＶＯＵＴ２を出力する。シリーズレギュレータ１００は、入力電圧ＶＩＮに基づいて第１出力電圧ＶＯＵＴ１を生成して出力し、第１出力電圧ＶＯＵＴ１の定電圧安定化を図っている。
【０００３】
ここで、２種類の電源電圧の供給を必要とするＩＣ２００は、図示しないが、レベルシフト回路や出力ドライバ回路などからなる入出力部（Ｉ／Ｏ部）と、ＩＣの所望の機能を実現するデジタル回路等から構成される内部回路部（コア部）で構成される。電源装置からの第１出力電圧ＶＯＵＴ１は内部回路の電源電圧として供給され、第２出力電圧ＶＯＵＴ２は入出力部の電源電圧として供給される。内部回路部を構成するトランジスタは、例えば０．６ｕｍの微細プロセスで実現する場合、電源電圧を３．３Ｖ以下の電圧で動作させる必要がある。従って、図６の電源装置では、第２出力電圧ＶＯＵＴ２は入力電圧ＶＩＮがそのまま出力されるのに対し、第１出力電圧ＶＯＵＴ１はシリーズレギュレータ１００で入力電圧ＶＩＮが降圧されて低電圧が出力される。
このため、電源投入時には、まず電源装置から第２出力電圧ＶＯＵＴ２がＩＣ２００の入出力部に供給され、次に第１出力電圧ＶＯＵＴ１がシリーズレギュレータ１００で電圧生成されてＩＣ２００の内部回路に入力される。その後、ＩＣ２００に対して外部から入力信号（図示せず）が入力される。
【０００４】
このように、ＩＣ２００では、シリーズレギュレータ１００で電圧生成される応答時間の影響で遅れて内部回路に第１出力電圧ＶＯＵＴ１が供給される。従って、内部回路に第１出力電圧ＶＯＵＴ１が供給される前に、入出力部に第２出力電圧ＶＯＵＴ２が先に供給される状態が存在する。言い換えると、内部回路の入力の論理レベルが不定状態、あるいは中間電位の状態のときに、先に入出力部に第２出力電圧ＶＯＵＴ２が供給されることになる。
このため、内部回路部から入出力部を構成するレベルシフト回路や出力ドライバ回路に入力される信号が不定状態、あるいは中間電位の状態の時に、入出力部に第２出力電圧ＶＯＵＴ２が供給されている状態が存在するので、入出力部の電源間に貫通電流が流れ、貫通電流が流れすぎる場合には、電源変動による誤動作、場合によっては電源供給能力以上の電流が流れて電源電圧が正常に到達しない事態が考えられる。
【特許文献１】特開２００７−１４１７６号公報
【発明の開示】
【発明が解決しようとする課題】
【０００５】
そこで、本発明の幾つかの態様の目的は、例えば異なる２種類の電源電圧の供給を必要とするＩＣなどに適用された場合に、電源投入時において内部回路の不定状態、あるいは中間電位状態の時に起因する入出力部電源間の貫通電流を防止でき、ＩＣの動作の安定化に寄与できる電源装置を提供することにある。
【課題を解決するための手段】
【０００６】
上記の課題を解決し本発明の目的を達成するために、本発明の各態様は、以下のように構成される。
本発明の第１の態様は、入力電圧に基づいて、第１出力電圧と、前記第１出力電圧よりも高電圧の第２出力電圧とをそれぞれ出力する電源装置であって、前記入力電圧に基づいて前記第１出力電圧を生成して出力するレギュレータと、出力電圧検出信号を受け取ったときに、前記入力電圧を前記第２出力電圧として出力するスイッチと、前記レギュレータが出力する前記第１出力電圧を検出し、前記第１出力電圧が所定の検出電圧値になったときに検出信号を生成し、当該検出信号を前記出力電圧検出信号として前記スイッチに出力する出力電圧検出回路と、を備える。
【０００７】
本発明の第２の態様は、入力電圧に基づいて、第１出力電圧と、前記第１出力電圧よりも高電圧の第２出力電圧とをそれぞれ出力する電源装置であって、前記入力電圧に基づいて前記第１出力電圧を生成して出力する第１レギュレータと、出力電圧検出信号を受け取ったときに、前記入力電圧に基づいて前記第２出力電圧を生成して出力する第２レギュレータと、前記第１レギュレータが出力する前記第１出力電圧を検出し、前記第１出力電圧が所定の検出電圧値になったときに検出信号を生成し、当該検出信号を前記出力電圧検出信号として前記第２レギュレータに出力する出力電圧検出回路と、を備える。
【０００８】
本発明の第３の態様は、入力電圧に基づいて、第１出力電圧と、前記第１出力電圧よりも高電圧の第２出力電圧とをそれぞれ出力する電源装置であって、前記入力電圧に基づいて前記第１出力電圧を生成して出力するレギュレータと、前記入力電圧を所望の出力電圧に変換して出力するＤＣ−ＤＣコンバータと、出力電圧検出信号を受け取ったときに、前記ＤＣ−ＤＣコンバータの出力電圧を前記第２出力電圧として出力するスイッチと、前記レギュレータが出力する前記第１出力電圧を検出し、前記第１出力電圧が所定の検出電圧値になったときに検出信号を生成し、当該検出信号を前記出力電圧検出信号として前記スイッチに出力する出力電圧検出回路と、を備える。
【０００９】
本発明の第４の態様は、入力電圧に基づいて、第１出力電圧と、前記第１出力電圧よりも高電圧の第２出力電圧とをそれぞれ出力する電源装置であって、前記入力電圧に基づいて前記第１出力電圧を生成して出力する第１レギュレータと、前記入力電圧を所望の出力電圧に変換して出力するＤＣ−ＤＣコンバータと、出力電圧検出信号を受け取ったときに、前記ＤＣ−ＤＣコンバータの出力電圧に基づいて前記第２出力電圧を生成して出力する第２レギュレータと、前記第１レギュレータが出力する前記第１出力電圧を検出し、前記第１出力電圧が所定の検出電圧値になったときに検出信号を生成し、当該検出信号を前記出力電圧検出信号として前記第２レギュレータに出力する出力電圧検出回路と、を備える。
このような構成の本発明の態様によれば、例えば異なる２種類の電源電圧の供給を必要とするＩＣなどに適用された場合に、電源投入時において内部回路の不定状態、あるいは中間電位状態の時に起因する入出力部の電源間の貫通電流を防止でき、ＩＣの動作の安定化に寄与することが可能となる。
【発明を実施するための最良の形態】
【００１０】
以下、本発明の実施形態について、図面を参照して説明する。
（第１実施形態）
図１は、本発明の電源装置の第１実施形態の構成を示すブロック図である。
この第１実施形態に係る電源装置は、図１に示すように、入力電圧ＶＩＮに基づき、第１出力電圧ＶＯＵＴ１を先に生成して出力し、この出力が安定した後に第１出力電圧ＶＯＵＴ１よりも高電圧の第２出力電圧ＶＯＵＴ２を出力するようにした。
ここで、第１出力電圧ＶＯＵＴ１は例えば３．３〔Ｖ〕であり、第２出力電圧ＶＯＵＴ２は例えば５．０〔Ｖ〕である。
このため、第１実施形態は、例えば図６に示すような異なる２種類の電源電圧の供給を必要とするＩＣ２００に適用されるものであり、図１に示すように、シリーズレギュレータ１と、電源スイッチ２と、出力電圧検出回路３と、を備えている。
【００１１】
シリーズレギュレータ１は、入力端子４に供給される入力電圧ＶＩＮに基づいて第１出力電圧ＶＯＵＴ１を生成し、この第１出力電圧ＶＯＵＴ１を第１出力端子５と共通端子６との間に出力する。
電源スイッチ２は、入力端子４と第２出力端子７との間に設けられ、出力電圧検出回路３からの出力電圧検出信号Ｓ１によってオンオフ制御（開閉制御）される。電源スイッチ２がオンのときに、入力端子４に供給される入力電圧ＶＩＮが、第２出力端子７と共通端子６との間に第２出力電圧ＶＯＵＴ２として出力される。
出力電圧検出回路３は、シリーズレギュレータ１が出力する第１出力電圧ＶＯＵＴ１を検出し、この第１出力電圧ＶＯＵＴ１が所定の検出電圧値になったときに出力電圧検出信号Ｓ１を生成し、これにより電源スイッチ２をオンさせる。
【００１２】
次に、このような構成の第１実施形態の動作例について、図１を参照して説明する。
この動作例では、第１実施形態に図６に示すような異なる２種類の電源電圧の供給を必要とするＩＣ２００（図示せず）が接続されているものとする。
この状態で、電源が投入されると、入力電圧ＶＩＮがシリーズレギュレータ１に供給される。入力電圧ＶＩＮに基づいてシリーズレギュレータ１は、第１出力電圧ＶＯＵＴ１が所定値になるような制御を開始する。この所定値に制御される第１出力電圧ＶＯＵＴ１は、図６に示すＩＣ２００の内部回路の電源電圧として供給される。
このとき、電源スイッチ２はオフ状態にある。このため、入力電圧ＶＩＮは、第２出力電圧ＶＯＵＴ２として出力されず、図６のＩＣ２００の入出力部の電源電圧として供給されることはない。
【００１３】
出力電圧検出回路３は、シリーズレギュレータ１が出力する第１出力電圧ＶＯＵＴ１を検出し、検出電圧値として第１出力電圧ＶＯＵＴ１が所定値になったときに出力電圧検出信号Ｓ１を生成し、これにより電源スイッチ２がオンとなる。このため、入力電圧ＶＩＮは、第２出力電圧ＶＯＵＴ２として出力されて、図６のＩＣ２００の入出力部の電源電圧として供給される。
以上のように、第１実施形態では、第１出力電圧ＶＯＵＴ１を先に出力することができ、その第１出力電圧ＶＯＵＴ１の出力値が内部回路の正常動作範囲の所定の電圧値に到達した後に、第２出力電圧ＶＯＵＴ２を出力するようにした。このため、例えば図６の異なる２種類の電源電圧の供給を必要とするＩＣ２００に適用した場合に、電源投入時において内部回路の不定状態、あるいは中間電位状態の時に起因する入出力部の電源間の貫通電流を防止でき、ＩＣ２００の動作の安定化を図ることができる。
【００１４】
図２は、第１実施形態の具体的な構成を示す回路図である。
シリーズレギュレータ１は、図２に示すように、抵抗１１、１２からなる分圧回路と、誤差増幅器（エラーアンプ）１３と、ＭＯＳトランジスタからなる出力トランジスタ１４と、を備えている。
抵抗１１、１２からなる分圧回路は、第１出力電圧ＶＯＵＴ１を分圧し、この分圧電圧は誤差増幅器１３の＋入力端子に供給される。
誤差増幅器１３は、抵抗１１、１２からなる分圧回路の分圧電圧を基準電圧発生回路１５が生成する基準電圧と比較し、この比較結果に応じた信号を誤差信号として出力トランジスタ１４のゲートに出力する。
出力トランジスタ１４は、誤差増幅器１３からの誤差信号に応じてゲート電圧が制御されるので、流れる電流が制御されて導通抵抗が制御される。これにより、第１出力電圧ＶＯＵＴ１が所定値に制御される。
【００１５】
電源スイッチ２は、図２に示すようにＭＯＳトランジスタ２１から構成される。ＭＯＳトランジスタ２１のゲートには、出力電圧検出回路３からの出力電圧検出信号Ｓ１が印加され、これによりＭＯＳトランジスタ２１がオンオフ制御される。
出力電圧検出回路３は、図２に示すように、分圧回路３１と、コンパレータ３２と、を備えている。
分圧回路３１は、シリーズレギュレータ１が出力する第１出力電圧ＶＯＵＴ１を分圧し、この分圧電圧はコンパレータ３２の−入力端子に供給される。
コンパレータ３２は、分圧回路３１の分圧電圧を基準電圧発生回路１５が生成する基準電圧と比較し、この比較結果に応じた信号を出力電圧検出信号Ｓ１として生成し、これをＭＯＳトランジスタ２１のゲートに供給する。
【００１６】
（第２実施形態）
図３は、本発明の電源装置の第２実施形態の構成を示すブロック図である。
この第２実施形態に係る電源装置は、図３に示すように、入力電圧ＶＩＮに基づき、第１出力電圧ＶＯＵＴ１を先に生成して出力し、この出力が安定した後に第１出力電圧ＶＯＵＴ１よりも高電圧の第２出力電圧ＶＯＵＴ２を生成して出力するようにした。
このため、第２実施形態は、例えば図６に示すような異なる２種類の電源電圧の供給を必要とするＩＣ２００に適用されるものであり、図３に示すように、シリーズレギュレータ１と、シリーズレギュレータ８と、出力電圧検出回路３Ａと、を備えている。
シリーズレギュレータ１は、図１の第１実施形態のシリーズレギュレータ１と同様に構成される。
【００１７】
シリーズレギュレータ８は、出力電圧検出回路３Ａからの出力電圧検出信号Ｓ１に基づいて動作する。すなわち、シリーズレギュレータ８は、電源の投入時において、出力電圧検出回路３Ａから出力電圧検出信号Ｓ１が出力されない期間には動作が停止した状態にあり、出力に電圧が生成されず出力オフ状態になる。一方、その出力電圧検出信号Ｓ１が出力されると、これを条件に入力電圧ＶＩＮに基づいて第２出力電圧ＶＯＵＴ２の生成を開始して出力する。
出力電圧検出回路３Ａは、シリーズレギュレータ１が出力する第１出力電圧ＶＯＵＴ１を検出し、この第１出力電圧ＶＯＵＴ１が所定の検出電圧値になったときに出力電圧検出信号Ｓ１を生成し、これをシリーズレギュレータ８に出力する。
【００１８】
次に、このような構成の第２実施形態の動作例について、図３を参照して説明する。
この動作例では、第２実施形態に図６に示すような異なる２種類の電源電圧の供給を必要とするＩＣ２００（図示せず）が接続されているものとする。
この状態で、電源が投入されると、入力電圧ＶＩＮがシリーズレギュレータ１に供給される。これに基づいてシリーズレギュレータ１は、第１出力電圧ＶＯＵＴ１が所定値になるような制御を開始する。この所定値に制御される第１出力電圧ＶＯＵＴ１は、図６に示すＩＣ２００の内部回路の電源電圧として供給される。
このとき、シリーズレギュレータ８は、動作が停止した状態にあり、出力に電圧が生成されず出力オフ状態になる。このため、シリーズレギュレータ８からは第２出力電圧ＶＯＵＴ２が出力されず、図６のＩＣ２００の入出力部の電源電圧として供給されることはない。
【００１９】
出力電圧検出回路３Ａは、シリーズレギュレータ１が出力する第１出力電圧ＶＯＵＴ１を検出し、検出電圧値として第１出力電圧ＶＯＵＴ１が所定値になったときに出力電圧検出信号Ｓ１を生成し、これがシリーズレギュレータ８に出力される。
これにより、シリーズレギュレータ８は、入力電圧ＶＩＮに基づいて第２出力電圧ＶＯＵＴ２の生成を開始する。このため、第２出力電圧ＶＯＵＴ２は、所定値になるように制御される。この所定値の第２出力電圧ＶＯＵＴ２は、図６のＩＣ２００の入出力部の電源電圧として供給される。このような動作は、出力電圧検出信号Ｓ１が出力されている期間、継続される。
以上のように、第２実施形態では、第１出力電圧ＶＯＵＴ１を先に出力することができ、その第１出力電圧ＶＯＵＴ１の出力値が内部回路の正常動作範囲の所定の電圧値に到達した後に、第２出力電圧ＶＯＵＴ２を出力するようにした。このため、第１実施形態と同様の作用効果を実現できる。
【００２０】
（第３実施形態）
図４は、本発明の電源装置の第３実施形態の構成を示すブロック図である。
この第３実施形態に係る電源装置は、図４に示すように、入力電圧ＶＩＮに基づき、第１出力電圧ＶＯＵＴ１を先に生成して出力し、この出力が安定した後に第１出力電圧ＶＯＵＴ１よりも高電圧の第２出力電圧ＶＯＵＴ２を出力するようにした。
このため、第３実施形態は、例えば図６に示すような異なる２種類の電源電圧の供給を必要とするＩＣ２００に適用されるものであり、図４に示すように、シリーズレギュレータ１と、ＤＣ−ＤＣコンバータ９と、電源スイッチ２Ａと、出力電圧検出回路３Ｂと、を備えている。
シリーズレギュレータ１は、図１の第１実施形態のシリーズレギュレータ１と同様に構成される。
【００２１】
ＤＣ−Ｄコンバータ９は、入力電圧ＶＩＮを所望の出力電圧に変換して出力する。ＤＣ−Ｄコンバータ９は、例えば昇圧型のチャージポンプ回路などが適用される。
電源スイッチ２Ａは、ＤＣ−ＤＣコンバータ９の出力端子と第２出力端子７との間に設けられ、出力電圧検出回路３Ｂからの出力電圧検出信号Ｓ１によってオンオフ制御（開閉制御）される。電源スイッチ２Ａがオンのときに、ＤＣ−ＤＣコンバータ９の出力電圧が第２出力端子７と共通端子６との間に第２出力電圧ＶＯＵＴ２として出力される。
出力電圧検出回路３Ｂは、シリーズレギュレータ１が出力する第１出力電圧ＶＯＵＴ１を検出し、この第１出力電圧ＶＯＵＴ１が所定の検出電圧値になったときに出力電圧検出信号Ｓ１を生成し、これにより電源スイッチ２Ａをオンさせる。
【００２２】
次に、このような構成の第３実施形態の動作例について、図４を参照して説明する。
この動作例では、第３実施形態に図６に示すような異なる２種類の電源電圧の供給が必要とするＩＣ２００（図示せず）が接続されているものとする。
この状態で、電源が投入されると、入力電圧ＶＩＮがシリーズレギュレータ１およびＤＣ−ＤＣコンバータ９にそれぞれ供給される。
入力電圧ＶＩＮに基づき、シリーズレギュレータ１は、第１出力電圧ＶＯＵＴ１が所定値になるような制御を開始する。この所定値に制御される第１出力電圧ＶＯＵＴ１は、図６に示すＩＣ２００の内部回路に所望の電源電圧として供給される。また、ＤＣ−Ｄコンバータ９は、入力電圧ＶＩＮを所望の出力電圧に変換して出力する制御を開始する。
このとき、電源スイッチ２Ａはオフ状態にある。このため、ＤＣ−Ｄコンバータ９の出力電圧は、第２出力電圧ＶＯＵＴ２として出力されず、図６のＩＣ２００の入出力部の電源電圧として供給されることはない。
【００２３】
出力電圧検出回路３Ｂは、シリーズレギュレータ１が出力する第１出力電圧ＶＯＵＴ１を検出し、検出電圧値として第１出力電圧ＶＯＵＴ１が所定値になったときに出力電圧検出信号Ｓ１を生成し、これにより電源スイッチ２Ａがオンとなる。このため、ＤＣ−Ｄコンバータ９の出力電圧は、第２出力電圧ＶＯＵＴ２として出力されて、図６のＩＣ２００の入出力部の電源電圧として供給される。
以上のように、第３実施形態では、第１出力電圧ＶＯＵＴ１を先に出力することができ、その第１出力電圧ＶＯＵＴ１の出力値が内部回路の正常動作範囲の所定の電圧値に到達した後に、第２出力電圧ＶＯＵＴ２を出力するようにした。このため、第１実施形態と同様の作用効果を実現できる。
【００２４】
（第４実施形態）
図５は、本発明の電源装置の第４実施形態の構成を示すブロック図である。
この第４実施形態に係る電源装置は、図５に示すように、入力電圧ＶＩＮに基づき、第１出力電圧ＶＯＵＴ１を先に生成して出力し、この出力が安定した後に第１出力電圧ＶＯＵＴ１よりも高電圧の第２出力電圧ＶＯＵＴ２を生成して出力するようにした。
このため、第４実施形態は、例えば図６に示すような異なる２種類の電源電圧の供給を必要とするＩＣ２００に適用されるものであり、図５に示すように、シリーズレギュレータ１と、ＤＣ−ＤＣコンバータ９と、シリーズレギュレータ１０と、出力電圧検出回路３Ｃと、を備えている。
【００２５】
シリーズレギュレータ１は、図１の第１実施形態のシリーズレギュレータ１と同様に構成される。ＤＣ−ＤＣコンバータ９は、図４の第３実施形態のＤＣ−Ｄコンバータ９と同様に構成される。
シリーズレギュレータ１０は、出力電圧検出回路３Ｃからの出力電圧検出信号Ｓ１に基づいて動作する。すなわち、シリーズレギュレータ１０は、電源の投入時において、出力電圧検出回路３Ｃから出力電圧検出信号Ｓ１が出力されない期間には動作が停止した状態にあり、出力に電圧が生成されず出力オフ状態になる。一方、その出力電圧検出信号Ｓ１が出力されると、これを条件にＤＣ−ＤＣコンバータ９の出力電圧に基づいて第２出力電圧ＶＯＵＴ２の生成を開始して出力する。
出力電圧検出回路３Ｃは、シリーズレギュレータ１が出力する第１出力電圧ＶＯＵＴ１を検出し、この第１出力電圧ＶＯＵＴ１が所定の検出電圧値になったときに出力電圧検出信号Ｓ１を生成し、これをシリーズレギュレータ１０に出力する。
【００２６】
次に、このような構成の第４実施形態の動作例について、図５を参照して説明する。
この動作例では、第４実施形態に図６に示すような異なる２種類の電源電圧の供給を必要とするＩＣ２００（図示せず）が接続されているものとする。
この状態で、電源が投入されると、入力電圧ＶＩＮがシリーズレギュレータ１およびＤＣ−ＤＣコンバータ９にそれぞれ供給される。
入力電圧ＶＩＮに基づき、シリーズレギュレータ１は、第１出力電圧ＶＯＵＴ１が所定値になるような制御を開始する。この所定値に制御される第１出力電圧ＶＯＵＴ１は、図６に示すＩＣ２００の内部回路の電源電圧として供給される。また、ＤＣ−Ｄコンバータ９は、入力電圧ＶＩＮを所望の出力電圧に変換して出力する制御を開始する。
【００２７】
このとき、シリーズレギュレータ１０は、動作が停止した状態にあり、出力に電圧が生成されず出力オフ状態になる。このため、シリーズレギュレータ１０からは第２出力電圧ＶＯＵＴ２が出力されず、図６のＩＣ２００の入出力部の電源電圧として供給されることはない。
出力電圧検出回路３Ｃは、シリーズレギュレータ１が出力する第１出力電圧ＶＯＵＴ１を検出し、検出電圧値として第１出力電圧ＶＯＵＴ１が所定値になったときに出力電圧検出信号Ｓ１を生成し、これがシリーズレギュレータ１０に出力される。
【００２８】
これにより、シリーズレギュレータ１０は、ＤＣ−ＤＣコンバータ９の出力電圧に基づいて第２出力電圧ＶＯＵＴ２の生成を開始する。このため、第２出力電圧ＶＯＵＴ２は、所定値になるように制御される。この所定値の第２出力電圧ＶＯＵＴ２は、図６のＩＣ２００の入出力部の電源電圧として供給される。このような動作は、出力電圧検出信号Ｓ１が出力されている期間、継続される。
以上のように、第４実施形態では、第１出力電圧ＶＯＵＴ１を先に出力することができ、その第１出力電圧ＶＯＵＴ１の出力値が内部回路の正常動作範囲の所定の電圧値に到達した後に、第２出力電圧ＶＯＵＴ２を出力するようにした。このため、第１実施形態と同様の作用効果を実現できる。
【図面の簡単な説明】
【００２９】
【図１】本発明の第１実施形態の構成を示すブロック図である。
【図２】第１実施形態の具体例を示す回路図である。
【図３】本発明の第２実施形態の構成を示すブロック図である。
【図４】本発明の第３実施形態の構成を示すブロック図である。
【図５】本発明の第４実施形態の構成を示すブロック図である。
【図６】従来装置の構成を示すブロック図である。
【符号の説明】
【００３０】
１、８、１０・・・シリーズレギュレータ、２、２Ａ・・・電源スイッチ、３、３Ａ〜３Ｃ・・・出力電圧検出回路、９・・・ＤＣ−ＤＣコンバータ
【図１】
2010134845.tif 000003
【図２】
2010134845.tif 000004
【図３】
2010134845.tif 000005
【図４】
2010134845.tif 000006
【図５】
2010134845.tif 000007
【図６】
2010134845.tif 000008